(57)【特許請求の範囲】
【請求項１】
複数のチャプタを含むビデオタイトルを記録したビデオディスクであって、当該ビデオディスク再生時に実行される、前記ビデオディスクの再生動作を制御する命令列が記述されたスクリプトを含む複数のアプリケーションと、前記ビデオタイトルと共に記録したビデオディスクを再生するビデオ再生装置であって、
電源オフ時に再生していたチャプタの識別を保存する続き再生情報保存手段と、
電源投入時に、前記ビデオディスクに記録された前記アプリケーションに含まれる前記スクリプトであって、前記続き再生情報保存手段に識別が保存されているチャプタの先頭からの再生開始命令を含む命令列が記述されている前記スクリプトに記述されている命令列に従って、前記ビデオディスクの再生動作を制御する続き再生開始手段とを有することを特徴とするビデオ再生装置。
【請求項２】
複数のチャプタを含むビデオタイトルを記録したビデオディスクであって、当該ビデオディスク再生時に実行される、前記ビデオディスクの再生動作を制御する命令列が記述されたスクリプトを含む複数のアプリケーションと、前記ビデオタイトルと共に記録したビデオディスクを再生するビデオ再生装置であって、
前記ビデオディスクの再生停止時に再生していたチャプタの識別を保存する続き再生情報保存手段と、
電源投入時または前記ビデオディスクの再生開始時に、前記ビデオディスクに記録された前記アプリケーションに含まれる前記スクリプトであって、前記続き再生情報保存手段に識別が保存されているチャプタの先頭からの再生開始命令を含む命令列が記述されている前記スクリプトに記述されている命令列に従って、前記ビデオディスクの再生動作を制御する続き再生開始手段とを有することを特徴とするビデオ再生装置。
【請求項３】
請求項１または２記載のビデオ再生装置であって、
前記続き再生開始手段は、電源投入時に、続き再生の要否をユーザに問い合わせ、続き再生をユーザから指示された場合にのみ、前記ビデオディスクに記録された前記アプリケーションに含まれる前記スクリプトであって、前記続き再生情報保存手段に識別が保存されているチャプタの先頭からの再生開始命令を含む命令列が記述されている前記スクリプトに記述されている命令列に従って、前記ビデオディスクの再生動作を制御することを特徴とするビデオ再生装置。
【請求項４】
請求項１、２または３記載のビデオ再生装置であって、
前記続き再生開始手段は、前記ビデオディスクに定義されているユーザからチャプタの選択を受け付けるためのチャプタメニューを表示するアプリケーションに含まれる、当該チャプタメニュー上で、前記続き再生情報保存手段に識別が保存されているチャプタの選択を受け付けたときに実行するように定義されている前記スクリプトに記述されている命令列に従って、前記ビデオディスクの再生動作を制御することを特徴とするビデオ再生装置。
【請求項５】
請求項１、２、３または４記載のビデオ再生装置であって、
前記ビデオディスクは、HD  DVD-Video規格に従ってビデオコンテンツを記憶したHD DVDであることを特徴とするビデオ再生装置。
【請求項６】
請求項１、２、３または４記載のビデオ再生装置であって、
前記ビデオディスクは、BDMV規格に従ってビデオコンテンツを記憶したBlu-ray Discであることを特徴とするビデオ再生装置。
【請求項７】
コンピュータによって読み取られ実行されるコンピュータプログラムであって、
前記コンピュータプログラムは、前記コンピュータを、
複数のチャプタを含むビデオタイトルを記録したビデオディスクであって、当該ビデオディスク再生時に実行される、前記ビデオディスクの再生動作を制御する命令列が記述されたスクリプトを含む複数のアプリケーションと、前記ビデオタイトルと共に記録したビデオディスクを再生するビデオ再生装置として機能させるコンピュータプログラムであって、
当該ビデオ再生装置は、
電源オフ時に再生していたチャプタの識別を保存する続き再生情報保存手段と、
電源投入時に、前記ビデオディスクに記録された前記アプリケーションに含まれる前記スクリプトであって、前記続き再生情報保存手段に識別が保存されているチャプタの先頭からの再生開始命令を含む命令列が記述されている前記スクリプトに記述されている命令列に従って、前記ビデオディスクの再生動作を制御する続き再生開始手段とを有することを特徴とするコンピュータプログラム。
【請求項８】
コンピュータによって読み取られ実行されるコンピュータプログラムであって、
前記コンピュータプログラムは、前記コンピュータを、
複数のチャプタを含むビデオタイトルを記録したビデオディスクであって、当該ビデオディスク再生時に実行される、前記ビデオディスクの再生動作を制御する命令列が記述されたスクリプトを含む複数のアプリケーションと、前記ビデオタイトルと共に記録したビデオディスクを再生するビデオ再生装置として機能させるコンピュータプログラムであって、
当該ビデオ再生装置は、
前記ビデオディスクの再生停止時に再生していたチャプタの識別を保存する続き再生情報保存手段と、
電源投入時または前記ビデオディスクの再生開始時に、前記ビデオディスクに記録された前記アプリケーションに含まれる前記スクリプトであって、前記続き再生情報保存手段に識別が保存されているチャプタの先頭からの再生開始命令を含む命令列が記述されている前記スクリプトに記述されている命令列に従って、前記ビデオディスクの再生動作を制御する続き再生開始手段とを有することを特徴とするコンピュータプログラム。
【請求項９】
請求項７または８記載のコンピュータプログラムであって、
前記続き再生開始手段は、電源投入時に、続き再生の要否をユーザに問い合わせ、続き再生をユーザから指示された場合にのみ、前記ビデオディスクに記録された前記アプリケーションに含まれる前記スクリプトであって、前記続き再生情報保存手段に識別が保存されているチャプタの先頭からの再生開始命令を含む命令列が記述されている前記スクリプトに記述されている命令列に従って、前記ビデオディスクの再生動作を制御することを特徴とするコンピュータプログラム。
【請求項１０】
請求項７、８または９記載のコンピュータプログラムであって、
前記続き再生開始手段は、前記ビデオディスクに定義されているユーザからチャプタの選択を受け付けるためのチャプタメニューを表示するアプリケーションに含まれる、当該チャプタメニュー上で、前記続き再生情報保存手段に識別が保存されているチャプタの選択を受け付けたときに実行するように定義されている前記スクリプトに記述されている命令列に従って、前記ビデオディスクの再生動作を制御することを特徴とするコンピュータプログラム。
【請求項１１】
請求項７、８、９または１０記載のコンピュータプログラムであって、
前記ビデオディスクは、HD  DVD-Video規格に従ってビデオコンテンツを記憶したHD DVDであることを特徴とするコンピュータプログラム。
【請求項１２】
請求項７、８、９または１０記載のコンピュータプログラムであって、
前記ビデオディスクは、BDMV規格に従ってビデオコンテンツを記憶したBlu-ray Discであることを特徴とするコンピュータプログラム。
【請求項１３】
複数のチャプタを含むビデオタイトルを記録したビデオディスクであって、当該ビデオディスク再生時に実行される、前記ビデオディスクの再生動作を制御する命令列が記述されたスクリプトを含む複数のアプリケーションと、前記ビデオタイトルと共に記録したビデオディスクを再生するビデオ再生装置において続き再生を行う続き再生方法であって、
電源オフ時に再生していたチャプタの識別を保存するステップと、
電源投入時に、前記ビデオディスクに記録された前記アプリケーションに含まれる前記スクリプトであって、前記識別が保存されているチャプタの先頭からの再生開始命令を含む命令列が記述されている前記スクリプトに記述されている命令列に従って、前記ビデオディスクの再生動作を制御するステップとを有することを特徴とする続き再生方法。
【請求項１４】
複数のチャプタを含むビデオタイトルを記録したビデオディスクであって、当該ビデオディスク再生時に実行される、前記ビデオディスクの再生動作を制御する命令列が記述されたスクリプトを含む複数のアプリケーションと、前記ビデオタイトルと共に記録したビデオディスクを再生するビデオ再生装置において続き再生を行う続き再生方法であって、
前記ビデオディスクの再生停止時に再生していたチャプタの識別を保存するステップと、
電源投入時または前記ビデオディスクの再生開始時に、前記ビデオディスクに記録された前記アプリケーションに含まれる前記スクリプトであって、前記識別が保存されているチャプタの先頭からの再生開始命令を含む命令列が記述されている前記スクリプトに記述されている命令列に従って、前記ビデオディスクの再生動作を制御するステップとを有することを特徴とする続き再生方法。
【発明の詳細な説明】
【技術分野】
【０００１】
本発明は、ビデオタイトルを記録したビデオディスクを再生するビデオ再生装置において、続き再生を行う技術に関するものである。
【背景技術】
【０００２】
ビデオタイトルを記録したビデオディスクを再生するビデオ再生装置において、続き再生を行う技術としては、DVD-Video規格に従ってビデオタイトルを記録したDVDを再生するビデオ再生装置において、ユーザによって電源がオフされた時点のDVDの再生位置を保存しておき、電源再投入時に保存しておいた再生位置からDVDの再生を再開する技術が知られている（たとえば、特許文献１、２）。
【特許文献１】特開2003-203464号公報
【特許文献２】特開2002-223411号公報
【発明の開示】
【発明が解決しようとする課題】
【０００３】
HD DVD-Video規格やBD-Video規格によってビデオタイトルを記憶したビデオディスクには、ビデオタイトルと共に実行されるべき又は実行可能な各種アプリケーションを定義することができる。
よって、これらビデオディスクの続き再生を行う場合には、ユーザによって電源がオフされた時点で、ビデオタイトルの再生位置の他に実行中のアプリケーションの実行状態を保存する必要があり、その処理が煩雑となると共に、保存すべき情報量も膨大なものとなる。
【０００４】
そこで、本発明は、ビデオタイトルと共に実行されるアプリケーションが定義されたビデオディスクを再生するビデオ再生装置において、簡易な構成において、アプリケーションについての続き再生も伴う、ビデオタイトルの続き再生を実現することを課題とする。
【課題を解決するための手段】
【０００５】
前記課題達成のために、本発明は、複数のチャプタを含むビデオタイトルを記録したビデオディスクであって、当該ビデオディスク再生時に実行される複数のアプリケーションを前記ビデオタイトルと共に記録したビデオディスクを再生するビデオ再生装置に、電源オフ時に再生していたチャプタの識別を保存する続き再生情報保存手段と、電源投入時に、前記ビデオディスクに記録されたアプリケーションによって実行される処理であって、前記続き再生情報保存手段に識別が保存されているチャプタの再生開始を含む処理を実行する続き再生開始手段とを備えたものである。
【０００６】
また、前記課題達成のために、本発明は、複数のチャプタを含むビデオタイトルを記録したビデオディスクであって、当該ビデオディスク再生時に実行される複数のアプリケーションを前記ビデオタイトルと共に記録したビデオディスクを再生するビデオ再生装置に、前記ビデオディスクの再生停止時に再生していたチャプタの識別を保存する続き再生情報保存手段と、電源投入時または前記ビデオディスクの再生開始時に、前記ビデオディスクに記録されたアプリケーションによって実行される処理であって、前記続き再生情報保存手段に識別が保存されているチャプタの再生開始を含む処理を実行する続き再生開始手段とを備えたものである。
【０００７】
ここで、これらのようなビデオ再生装置は、前記続き再生開始手段において、電源投入時に、続き再生の要否をユーザに問い合わせ、続き再生をユーザから指示された場合にのみ、前記ビデオディスクに記録されたアプリケーションによって実行される処理であって、前記続き再生情報保存手段に識別が保存されているチャプタの再生開始を含む処理を実行するように構成してもよい。
【０００８】
また、これらのようなビデオ再生装置は、より具体的には、前記続き再生開始手段において、前記ビデオディスクに記録されたアプリケーションであって、ユーザからチャプタの選択を受け付けるチャプタメニューを表示し、当該チャプタメニュー上で選択を受け付けたチャプタの再生開始を含む処理を実行するアプリケーションが、前記チャプタメニュー上で前記続き再生情報保存手段に識別が保存されているチャプタの選択を受け付けたときに実行する処理を実行するように構成してもよい。
【０００９】
これらのビデオ再生装置によれば、電源投入時や再生開始時に、前回電源オフした時点や前回再生停止した時点で再生していた再生位置から厳密に再生を再開することはできないが、当該再生していた再生位置直前のチャプタ区切り、すなわち、再生していたチャプタの先頭から再生を開始することができる。また、続き再生を行う場合、再生していた再生位置の直前のビデオタイトルのストーリー構成上で区切りの良い位置である再生していたチャプタ先頭から再生を再開することも、ユーザが再生再開後のビデオタイトルをスムーズに視聴できるようにする上で意義がある。
【００１０】
一方で、このようにして本ビデオ再生装置において、電源投入時や再生開始時に実行される処理は、ビデオタイトルの製作者が定義した処理であり、当該処理で再生開始されるチャプタと共に実行することが必要または好ましいアプリケーションを、当該チャプタの再生開始と共に起動する処理であることが期待できる。よって、このようなビデオ再生装置によれば、電源オフ時や再生停止時のアプリケーションの実行状態などを保存する必要のない簡易な構成において、アプリケーションについての続き再生も伴う、ビデオタイトルの続き再生を実現できることが期待できる。
【００１１】
また、前記課題達成のために、本発明は、複数のチャプタを含むビデオタイトルを記録したビデオディスクを再生するビデオ再生装置に、電源オフ時に再生していたチャプタの識別を保存する続き再生情報保存手段と、電源投入時に前記続き再生情報保存手段に保存されているチャプタの識別を表示する続き再生情報表示手段とを設けたものである。
【００１２】
また、前記課題達成のために、本発明は、複数のチャプタを含むビデオタイトルを記録したビデオディスクを再生するビデオ再生装置に、前記ビデオディスクの再生停止時に再生していたチャプタの識別を保存する続き再生情報保存手段と、前記ビデオディスクの再生開始時または電源投入時に前記続き再生情報保存手段に保存されているチャプタの識別を表示する続き再生情報表示手段とを備えたものである。
【００１３】
これらの続き再生情報表示手段を備えたビデオ再生装置によれば、電源投入時や再生開始時に、前回電源オフした時点や前回再生停止した時点で再生していたチャプタの識別が表示されるので、ユーザは、当該表示を頼りに、前述したチャプタメニューなどを利用して、直ちに、前回視聴していたチャプタの先頭から再生を再開することができるようになる。
【００１４】
なお、以上のビデオ再生装置において、前記ビデオディスクは、たとえば、HD DVD-Video規格に従ってビデオコンテンツを記憶したHD DVDであってもよいし、BDMV規格に従ってビデオコンテンツを記憶したBlu-ray Discであってもよい。
【発明の効果】
【００１５】
以上のように、本発明によれば、ビデオタイトルと共に実行されるアプリケーションが定義されたビデオディスクを再生するビデオ再生装置において、簡易な構成において、アプリケーションについての続き再生も伴う、ビデオタイトルの続き再生を実現することができる。
【発明を実施するための最良の形態】
【００１６】
以下、本発明の実施形態に係るビデオ再生装置を、HD DVD-Video規格によるビデオコンテンツを記録したHD DVDを再生するビデオ再生装置への適用を例にとり説明する。
図１に、本実施形態に係るビデオ再生装置の構成を示す。
図示するように、ビデオ再生装置１は、データアクセスマネージャ１１、データキャッシュ１２、ナビゲーションマネージャ１３、プレゼンテーションエンジン１４、ＡＶレンダラ１５、メモリ１６、入力装置１７、表示装置１８、スピーカ１９とを備えている。
なお、このようなビデオ再生装置１は、ハードウエア的には、マイクロプロセッサや、メモリや、その他の周辺デバイスを有する一般的な構成を備えたコンピュータであって良く、この場合、以上に示したビデオ再生装置１の入力装置１７、表示装置１８、スピーカ１９を除く各部は、マイクロプロセッサが予め用意されたプログラムを実行することにより具現化するプロセスとして実現されるものであって良い。また、この場合、このようなプログラムは、前記録媒体や適当な通信路を介して、当該コンピュータに提供されるものであって良い。
【００１７】
さて、このようなビデオ再生装置１の構成において、ナビゲーションマネージャ１３は、データアクセスマネージャ１１やデータキャッシュ１２を介してHD DVDディスク２より読み出したプレイリストに基づいて、タイトルを単位として、プライマリビデオセットやセカンダリビデオセットやアプリケーションやアドバンスドサブタイトルの再生を制御する。なお、各タイトルには、複数のチャプタを定義することができる。
【００１８】
プレゼンテーションエンジン１４は、ナビゲーションマネージャ１３の制御下で、HD DVDディスク２やパーシスタントストレージ３やネットワーク上のネットワークサーバ４から取得したデータから、プライマリビデオセットやセカンダリビデオセットやアプリケーションやアドバンスドサブタイトルの出力映像と出力音声をデコードする。そして、ＡＶレンダラ１５は、プレゼンテーションエンジン１４でデコードされた各出力映像を描画、合成し表示装置１８に表示し、プレゼンテーションエンジン１４でデコードされた各出力音声を合成し、スピーカ１９に出力する。
【００１９】
ここで、プライマリビデオセットとセカンダリビデオセットはビデオオブジェクトであり、アドバンスドサブタイトルは字幕オブジェクトである。
一方、アプリケーションは、マニュフェスト、マークアップ、スクリプトよりなり、マニュフェストは、アプリケーションの初期化情報を表すものである。
また、マークアップは、ボタン、画像、音声、アニメーション、フォントなどを用いて構築されるアプリケーションの出力映像/音声を定義するものであり、このマークアップを用いて、チャプタメニューやその他のメニュー等のインタアクティブなユーザインタフェースを定義することができる。
そして、スクリプトは、各アプリケーションやビデオ再生装置１の各種再生動作を制御するプログラムであり、当該スクリプトには、入力装置１７のキー操作の発生に応答して所定の処理を行うスクリプトや、マークアップの定義に従って表示されるアプリケーションの出力映像上のボタン等の表示オブジェクトの選択操作によって起動されるスクリプトなどを含めることができる。
【００２０】
以下、このようなビデオ再生装置１において、続き再生のために、ナビゲーションマネージャ１３が行う続き再生情報保存処理と、続き再生開始処理について説明する。
まず、続き再生情報保存処理について説明する。
図２ａに、この続き再生情報保存処理の手順を示す。
図示するように、この処理では、現在再生中のHD DVDディスク２の識別子と、現在再生中のタイトルの識別子（タイトル番号等）と、現在再生中のチャプタの識別子（チャプタ番号等）とを取得し、続き再生情報としてメモリ１６に保存する処理（ステップ２０２）を、所定時間（たとえば、１秒）毎に（ステップ２０４）繰り返す。但し、この処理は、ユーザの電源オフ操作が発生したときに、電源オフに先立って、現在再生中のHD DVDディスク２の識別子と、現在再生中のタイトルの識別子と、現在再生中のチャプタの識別子とを取得し、続き再生情報としてメモリ１６に保存すると共に、ユーザの再生ストップ操作が発生したときに、HD DVDディスク２の再生の停止に先立って、現在再生中のHD DVDディスク２の識別子と、現在再生中のタイトルの識別子と、現在再生中のチャプタの識別子とを取得し、続き再生情報としてメモリ１６に保存する処理に置き換えるようにしてもよい。
【００２１】
次に、続き再生開始処理について説明する。
ここで、この続き再生開始処理は、HD DVDディスク２が装着されている状態でビデオ再生装置に電源が投入された時と、電源オン状態のビデオ再生装置にHD DVDディスク２が再生停止状態（一時停止状態を含まない）で装着されている状態においてユーザの再生開始操作が発生した時に、その実行が開始される処理である。
図２ｂに、この続き再生開始処理の手順を示す。
図示するように、この処理では、まず、メモリ１６に続き再生情報が保存されているかどうかを調べ（ステップ２５２）、保存されていなければ、HD DVDディスク２に記録されている最先実行用のプレイリストに従った再生を開始することにより、HD DVDディスク２の通常再生を開始し（ステップ２５４）、処理を終了する。
【００２２】
一方、メモリ１６に続き再生情報が保存されている場合には、装着されているHD DVDディスク２の識別子が、続き再生情報に含まれるHD DVDディスク２の識別子と一致するかどうかを調べ、（ステップ２５６）、一致しない場合には、ステップ２５４に進んで、HD DVDディスク２の通常再生を開始し、処理を終了する。
一方、装着されているHD DVDディスク２の識別子が、続き再生情報に含まれるHD DVDディスク２の識別子と一致した場合には、HD DVDディスク２に記録されているアプリケーションのうちの、続き再生用メニューアプリケーションと、続き再生用スクリプトとを特定する（ステップ２５８）。
【００２３】
ここで、続き再生用メニューアプリケーションとは、続き再生情報に含まれるタイトルの識別子が示すタイトルの、続き再生情報に含まれるチャプタの識別子が示すチャプタを含むチャプタの再生開始指示をユーザから受け付けるメニュー（いわゆるチャプタメニュー）を表示するアプリケーションである。このようなアプリケーションは、続き再生情報に含まれるタイトルの識別子のタイトルの続き再生情報に含まれるチャプタの識別子が示すチャプタを含む複数のチャプタについて各々設けられた、チャプタの再生開始命令（"chapter_jump()"等）を含むスクリプトをユーザ操作に応じて選択的に実行する処理が定義されているアプリケーションとして求めることができる。
【００２４】
なお、HD DVDディスク２においては、チャプタメニューを表示するアプリケーションは、プレイリスト関連アドバンスドアプリケーションであるところの第１の種類のアプリケーションであることが最も多く、次に、プレイリスト関連アドバンスドアプリケーション以外のアプリケーションであって、ノンスケジュールド、非同期の属性を持つタイトルの全期間中有効なプレゼンテーションオブジェクトとして定義されているアプリケーションであるところの第２の種類のアプリケーションであることが多い。そこで、このような続き再生用メニューアプリケーションの特定においては、第１の種類のアプリケーション、第２の種類のアプリケーション、その他のアプリケーションの順に、続き再生用メニューアプリケーションを探索して、当該特定を行うことが望ましい。
なお、プレイリスト関連アドバンスドアプリケーションか否かはTitleSetエレメントのPlaylistApplicationエレメントのPlaylistApplication等の記述より識別することができ、ノンスケジュールド、非同期の有無、有効期間は、各アプリケーションのApplicationSegmentエレメントのtitleTimeBegin/End、sync、autorunの記述等より識別することができる。
【００２５】
また、続き再生用スクリプトは、続き再生用メニューアプリケーションにおいて、ユーザ操作に応じて起動されるスクリプトであって、続き再生情報に含まれるタイトルの識別子のタイトルの続き再生情報に含まれるチャプタの識別子が示すチャプタの再生開始命令（"chapter_jump()"等）を含むスクリプトとして求めることができる。
【００２６】
そして、たとえば図４ａに示すような、続き再生を行うかHD DVDディスク２の先頭からの再生を行うかをユーザに問い合わせる画面をＡＶレンダラ１５を介して表示装置１８に表示し（ステップ２６０）、先頭からの再生を指示されたならば（ステップ２６２）、ステップ２５４に進んで、HD DVDディスク２の通常再生を開始し、処理を終了する。
一方、ユーザから続き再生を指示された場合には（ステップ２８２）、特定した続き再生用スクリプトを実行し、処理を終了する。
【００２７】
以上、続き再生開始処理について説明した。
次に図３に、このようなビデオ再生装置１における続き再生の動作例を示す。
いま、識別子＃ｎのHD DVDディスク２の、識別子＃ｍのタイトルの再生が、プレイリストによって図３ａに示すように定義されている場合を例にとる。
この場合、識別子＃ｍのタイトルの再生が開始されると、プライマリビデオセットのビデオがチャプタ00からチャプタ番号順に順次再生されると共に、これと同期してアドバンスドサブタイトルによる字幕表示が行われる。一方、プライマリビデオセットのビデオの再生がチャプタ01の途中まで進むと、アプリケーション１の実行が開始され、プライマリビデオセットのビデオの再生がチャプタ02の途中まで進むと、アプリケーション２の実行が開始される。
【００２８】
そして、このようにしてタイトルがチャプタ03の途中まで再生（３０１）された時点で、ビデオ再生装置１の電源オフまたは再生ストップが発生すると（３０２）、当該時点以降にメモリ１６に保存される続き再生情報は、続き再生情報保存処理によって最後に保存（３０３）された、再生中のHD DVDディスク２の識別子＃ｎ、再生中のタイトルの識別子＃ｍ、再生中のチャプタの識別子03を示すものとなる。
【００２９】
そして、その後、HD DVDディスク２の交換が行われることなく、電源投入、または、電源オンかつ再生停止状態における再生開始操作が発生すると（３０４）、図３ｂに示すような続き再生情報が示すタイトルの識別子＃ｍのタイトルのチャプタメニューを表示するアプリケーションが続き再生用アプリケーションとして特定され（３０５）、当該アプリケーションがチャプタメニューチャプタ03のボタンの操作に応じて起動する、続き再生情報が示すチャプタの識別子03の再生を開始する命令を含むスクリプト３２０が続き再生用スクリプトとして特定され（３０６）実行される。
【００３０】
ここで、このスクリプト３２０は、HD DVDのビデオコンテンツの制作者が用意したスクリプトであり、このスクリプトは、プライマリビデオセットや当該プライマリビデオセットと同期して字幕の表示を行うアドバンスドサブタイトルをチャプタ03の先頭位置からの再生開始する命令の他、ビデオコンテンツの制作者がチャプタ03の再生開始と共に実行することが必要もしくは好ましいと考えるアプリケーションを起動する命令を含むものとなっており、この起動する命令が含まれるアプリケーションは、プレイリストに従ってタイトル＃ｍを先頭から再生したときにチャプタ03の再生時に実行されていることになるアプリケーションと同じアプリケーション１とアプリケーション２であることが期待できる。
【００３１】
そして、このスクリプト３２０にアプリケーション１とアプリケーション２の起動命令が含まれる場合、このスクリプト３２０の実行（３０７）によって、プライマリビデオセットとアドバンスドサブタイトルをチャプタ03が先頭位置からの再生が開始されると共に、アプリケーション１とアプリケーション２の実行が開始されることになる（３０８）。
以上、本発明の実施形態について説明した。
以上のように、本実施形態によれば、電源投入時や再生開始時に、厳密に、前回電源オフした時点や前回再生停止した時点で再生していた再生位置から再生を再開することはできないが、当該再生していた再生位置直前のチャプタ区切り、すなわち、再生していたチャプタの先頭から再生を開始することができる。また、続き再生を行う場合、再生していた再生位置の直前のタイトルのストーリー構成上で区切りの良い位置である再生していたチャプタ先頭から再生を再開することも、ユーザが再生再開後のタイトルをスムーズに視聴できるようにする上で意義がある。
【００３２】
一方で、このようにしてビデオ再生装置１において、電源投入時や再生開始時に実行されるスクリプトは、ビデオタイトルの製作者が定義したスクリプトであり、当該スクリプトで再生開始されるチャプタと共に実行することが必要または好ましいアプリケーションを、当該チャプタの再生開始と共に起動するスクリプトであることが期待できる。よって、このようなビデオ再生装置１によれば、電源オフ時や再生停止時のアプリケーションの実行状態などを保存する必要のない簡易な構成において、アプリケーションについての続き再生も伴う、ビデオタイトルの続き再生を実現できることが期待できる。
【００３３】
ところで、以上に示した続き再生開始処理は、HD DVDディスク２が装着されている状態でビデオ再生装置に電源が投入された時と、電源オン状態のビデオ再生装置にHD DVDディスク２が再生停止状態で装着されている状態においてユーザの再生開始操作が発生した時に、HD DVDディスク２の通常再生を開始し、その後に、前述した続き再生用メニューアプリケーションが実行されたときに、続き再生を行うか否かをユーザに問い合わせる画面をＡＶレンダラ１５を介して表示装置１８に表示し、ユーザから続き再生を指示された場合に前述した続き再生用スクリプトを実行する処理に置き換えるようにしてもよい。
【００３４】
または、以上に示した続き再生開始処理は、HD DVDディスク２が装着されている状態でビデオ再生装置に電源が投入された時と、電源オン状態のビデオ再生装置にHD DVDディスク２が再生停止状態で装着されている状態においてユーザの再生開始操作が発生した時に、HD DVDディスク２の通常再生を開始し、その後に、ユーザからの所定の続き再生要求操作が発生したときに、当該時点で再生中のアプリケーションを続き再生用メニューアプリケーションと見なして、当該続き再生用メニューアプリケーションから起動される続き再生用スクリプトを実行する処理に置き換えるようにしてもよい。なお、この場合に、続き再生用メニューアプリケーションと見なしたアプリケーションから起動されるスクリプトに続き再生用スクリプトが含まれていない場合には、所定のエラー表示を行うようにする。
【００３５】
または、以上に示した続き再生開始処理は、HD DVDディスク２が装着されている状態でビデオ再生装置に電源が投入された時と、電源オン状態のビデオ再生装置にHD DVDディスク２が再生停止状態で装着されている状態においてユーザの再生開始操作が発生した時に、メモリ１６に続き再生情報が保存されている場合に、続き再生情報のタイトルの識別子と、続き再生情報のチャプタの識別子を通知する、たとえば図４ｂに示すような画面をＡＶレンダラ１５を介して表示装置１８に表示する処理としてもよい。
【００３６】
このようにすることにより、電源投入時や再生開始時に、前回電源オフした時点や前回再生停止した時点で再生していたタイトルやチャプタの識別が表示されるので、ユーザは、当該表示を頼りに、前述したチャプタメニューなどを利用して、直ちに、前回視聴していたチャプタの先頭から再生を再開することができるようになる。
【００３７】
なお、以上では、HD DVD-Video規格に従ってビデオコンテンツを記憶したHD DVDを再生するビデオ再生装置１への適用を例にとり説明したが、本実施形態は、BDMV規格に従ってビデオコンテンツを記憶したBlu-ray Discを再生するビデオ再生装置１や、DVD-Video規格に従ってビデオコンテンツを記憶したDVDを再生するビデオ再生装置１にも同様に適用することができる。
【図面の簡単な説明】
【００３８】
【図１】本発明の実施形態に係るビデオ再生装置の構成を示すブロック図である。
【図２】本発明の実施形態に係る続き再生を実現するための処理を示すフローチャートである。
【図３】本発明の実施形態に係る続き再生の動作例を示す図である。
【図４】本発明の実施形態に係るビデオ再生装置の表示画面例を示す図である。
【符号の説明】
【００３９】
１…ビデオ再生装置、２…HD DVDディスク、３…パーシスタントストレージ、４…ネットワークサーバ、１１…データアクセスマネージャ、１２…データキャッシュ、１３…ナビゲーションマネージャ、１４…プレゼンテーションエンジン、１５…ＡＶレンダラ、１６…メモリ、１７…入力装置、１８…表示装置、１９…スピーカ。
【図１】
0005235074.tif 000002
【図２】
0005235074.tif 000003
【図３】
0005235074.tif 000004
【図４】
0005235074.tif 000005